(57)【要約】【課題】楽器へのトランスデューサーの取り付けを容易にすること【解決手段】本発明の一実施形態に係る楽器に取り付け可能な振動供給装置は、振動部材を有するトランスデューサーと、楽器の響板に接続される第１部材に磁力によって吸着され、トランスデューサーの外側に配置される第２部材と、を有し、振動部材は、第１部材と第２部材とが吸着されると響板へ振動を伝達可能に接続されることを特徴とする。【選択図】図５
2016180959.tif 000002
【特許請求の範囲】
【請求項１】
振動部材を有するトランスデューサーと、
楽器の響板に接続される第１部材に磁力によって吸着され、前記トランスデューサーの外側に配置される第２部材と、を有し、
前記振動部材は、
前記第１部材と前記第２部材とが吸着されると前記響板へ振動を伝達可能に接続されることを特徴とする楽器に取り付け可能な振動供給装置。
【請求項２】
データを記憶するストレージと、前記ストレージに記憶されたデータを読み出して音声信号を生成する信号生成部と、前記音声信号を増幅して前記振動部材を駆動するアンプと、を備える駆動ユニットを有することを特徴とする請求項１に記載の振動供給装置。
【請求項３】
前記駆動ユニットは、
前記楽器を配置するスタンドから電源の供給を受ける電源受容部と、
前記スタンドから前記ストレージに記憶させるデータの供給を受けるデータ受信部と、を備えることを特徴とする請求項２に記載の振動供給装置。
【請求項４】
前記トランスデューサーの側部及び底部の少なくとも一方を囲む金属性ケースをさらに備え、
前記第２部材は、前記金属性ケースの外側に配置されることを特徴とする請求項１乃至３のいずれか一項に記載の振動供給装置。
【請求項５】
請求項１乃至４のいずれか一項に記載の振動供給装置と、
響板と、
前記第２部材に対応する位置に配置され、前記響板に接続される第１部材と、を有することを特徴とする楽器。
【請求項６】
前記第１部材と前記第２部材とが接触して吸着されることを特徴とする請求項５に記載の楽器。
【請求項７】
前記第１部材と前記第２部材とが響板を挟んで吸着されることを特徴とする請求項５に記載の楽器。
【請求項８】
前記第１部材はシート状あることを特徴とする請求項５乃至７のいずれか一項に記載の楽器。
【発明の詳細な説明】
【技術分野】
【０００１】
本発明は、楽器に振動供給装置を取り付ける技術に関する。
【背景技術】
【０００２】
従来、アコースティックのギター、ベース、バイオリン、ウクレレ、マンドリン等、響板を含む共鳴胴を有する楽器が知られている。例えばギターの共鳴胴は、表板、裏板及び側板から構成され、表板にはサウンドホールが形成される。弦の演奏により主として響板たる表板及び裏板が振動して豊かな音響が発生する。
【０００３】
このような響板により生成される豊かな音響は、コーン紙を振動させる通常のスピーカーシステムで再現することが難しい。そのため、演奏によらずに、このような楽器そのものの響板を利用して音響を発生させる装置が知られている。例えば、楽器そのものをスピーカーとして用い、その響板にねじでトランスデューサーを取り付け、その振動を楽器の胴部に伝え、音響振動を発する技術が知られている（例えば、特許文献１）。ボルトを用いて楽器にトランスデューサーを取り付ける方法（例えば、特許文献２）も知られている。
【先行技術文献】
【特許文献】
【０００４】
【特許文献１】特開２００４−１２９０５８
【特許文献２】特開２００８−２９８９９２
【発明の概要】
【発明が解決しようとする課題】
【０００５】
しかしながら、特許文献１ないし２の技術では、ねじやボルトによる取り付け機構をトランスデューサー及び楽器の双方に設ける必要があり、トランスデューサー及び楽器を変形させなくてはならず、一般の（例えば、市販の）ギター等に広く適用できるものではない。
【０００６】
また、特許文献１ないし２の技術では、トランスデューサーを楽器の裏板にネジやボルトで取り付ける必要があるため、ユーザが楽器をスピーカーとして使用する場面と、トランスデューサーを外して演奏する場面とを切り替えるのに手間がかかるという問題があった。
【０００７】
そこで、本発明は、一般の楽器の響板を利用して楽器本来の音色を再現させるための、楽器へのトランスデューサーの着脱を容易にすることを目的の１つとする。
【課題を解決するための手段】
【０００８】
本発明の一実施形態によると、振動部材を有するトランスデューサーと、楽器の響板に接続される第１部材に磁力によって吸着され、前記トランスデューサーの外側に配置される第２部材とを有し、前記振動部材は、前記第１部材と前記第２部材とが吸着されると前記響板へ振動を伝達可能に接続される楽器に取り付け可能な振動供給装置が提供される。
【０００９】
また、本発明の一実施形態によると、データを記憶するストレージと、前記ストレージに記憶されたデータを読み出して音声信号を生成する信号生成部と、前記音声信号を増幅して前記振動部材を駆動するアンプと、を備える駆動ユニットを有する、楽器に取り付け可能な振動供給装置が提供される。
【００１０】
また、本発明の一実施形態によると、前記駆動ユニットは、前記楽器を配置するスタンドから電源の供給を受ける電源受容部と、前記スタンドから前記ストレージに記憶させるデータの供給を受けるデータ受信部と、を備える、楽器に取り付け可能な振動供給装置が提供される。
【００１１】
また、本発明の一実施形態によると、前記トランスデューサーの側部及び底部の少なくとも一方を囲む金属性ケースをさらに備え、前記第２部材は、前記金属性ケースの外側に配置される、楽器に取り付け可能な振動供給装置が提供される。
【００１２】
また、本発明の一実施形態によると、前記振動供給装置と、響板と、前記第２部材に対応する位置に配置され、前記響板に接続される第１部材と、を有することを特徴とする楽器が提供される。
【００１３】
また、本発明の一実施形態によると、前記第１部材と前記第２部材とが接触して吸着される楽器が提供される。
【００１４】
また、本発明の一実施形態によると、前記第１部材と前記第２部材とが響板を挟んで吸着される楽器が提供される。
【００１５】
また、本発明の一実施形態によると、前記第１部材はシート状である楽器が提供される。
【発明の効果】
【００１６】
本発明の一実施形態によれば、一般の楽器の響板を利用して楽器本来の音色を再現させるための、楽器へのトランスデューサーの着脱を容易にすることができる。
【図面の簡単な説明】
【００１７】
【図１】本発明の第１実施形態の振動供給装置が楽器に取り付けられた状態を示す図である。
【図２】本発明の第１実施形態のトランスデューサーの構成を示す図である。
【図３】図３は、図２に示すトランスデューサー５０を振動部材５１１の中心を通り振動部材５１１の振動方向に平行な面で切断した断面図である。
【図４】本発明の第１実施形態の振動供給装置の構成を示した図であり、振動供給装置が響板に吸着される前の図である。
【図５】本発明の第１実施形態の振動供給装置の構成を示した図であり、振動供給装置が響板に吸着された後の図である。
【図６】本発明の第２実施形態の振動供給装置の構成を示した図である。
【図７】本発明の第３実施形態の振動供給装置の構成を示した図である。
【図８】本発明の第４実施形態の振動供給装置の構成を示した図である。
【図９】本発明の第５実施形態の振動供給装置の構成を示した図である。
【図１０】本発明の第６実施形態の振動供給装置の構成を示した図である。
【図１１】本発明の変形例を示した図である。
【発明を実施するための形態】
【００１８】
以下、本発明の一実施形態の楽器について、図面を参照しながら詳細に説明する。以下に示す実施形態は本発明の実施形態の一例であって、本発明はこれらの実施形態に限定されるものではない。
【００１９】
＜第１実施形態＞
本発明の第１実施形態の楽器について、図面を参照しながら詳細に説明する。
【００２０】
図１は、本発明の第１実施形態の振動供給装置が楽器に取り付けられた状態を示す図である。
【００２１】
振動供給装置１０は、響板７に接続された鉄シート２０と、振動供給装置１０に接続された磁石３０が磁力によって吸着されることで、楽器１の響板７の外側表面に取り付けられる。取付け方の詳細については後に説明する。図１で楽器１には振動供給装置１０が１個取り付けられているが、その取り付け個数は２個以上であってもよい。また、図１では楽器の裏板に振動供給装置１０が取り付けられている例を示したが、振動供給装置１０は楽器の表板に取り付けられてもよい。
【００２２】
［トランスデューサーの構成］
図２は、振動供給装置１０に含まれるトランスデューサー５０の外観を示した図である。この図においては、ヨーク保持部５２の主要な構造を見やすくするため、ヨーク保持部５２の筐体５２４（図３参照）については記載を省略し、筐体５２４の内部を図示している。
【００２３】
振動部５１は、響板７（図３参照）と接続する上面が塞がれた筒状の振動部材５１１およびボイスコイル５１２を有する。振動部材５１１は、ポリイミド等の樹脂あるいはアルミ素材の金属などの素材で形成され、上面部に樹脂等のキャップを取り付けている。振動部材５１１の先端には、磁石が配置されてもよく、この磁石は粘着材等によって振動部材５１１の先端に接着されてもよい。ヨーク保持部５２は、磁石５２２、および磁石５２２を挟みこむヨーク５２１、５２３を有する。ヨーク５２１、５２３は、例えば軟鉄などの軟磁性材料により形成される。また、振動部５１とヨーク保持部５２とは、空間により隔てられている。
【００２４】
図３は、図２に示すトランスデューサー５０を振動部材５１１の中心を通り、振動部材５１１の振動方向に平行な面で切断した断面図である。図３においては、図２において記載を省略した筐体５２４についても記載している。また、図３においては、トランスデューサー５０と響板７の位置関係を示すため、響板７の位置を２点鎖線で示している。
【００２５】
振動部５１は、振動部材５１１およびボイスコイル５１２を有している。ボイスコイル５１２は、ヨーク５２１、５２３および磁石５２２により形成された磁路（破線矢印）のうち、ヨーク５２１とヨーク５２３との間に形成される空間を通過する磁路上に位置するように配置されている。トランスデューサー５０に入力される駆動信号は、ボイスコイル５１２に入力される。ボイスコイル５１２は、上記のように形成されている磁路における磁力を受けて、入力される駆動信号が示す波形に応じて振動部材５１１が図における上下方向に振動するように駆動力を発生させる。そして、以下で詳述する方法によってトランスデューサー５０と響板７とが吸着され、振動部材５１１における振動が響板７に伝達される。筐体５２４は、ヨーク５２１、５２３および磁石５２２を収容する。図示はしていないが、振動部材５１１と筐体５２４とはダンパによって接続される。ダンパは、ボイスコイル５１２が振動信号により駆動されず、振動部材５１１による響板７に対する力がかからない状態での位置を標準位置とする。ダンパは、この標準位置から、振動部材５１１の上下振動に追従して伸縮する。
【００２６】
［振動供給装置の構成］
図４は振動供給装置の構成を示した図であり、振動供給装置が響板に吸着される前の図である。図５は、振動供給装置が響板に吸着された後の図である。
【００２７】
本発明の第１実施形態において、響板７には粘着剤等によって鉄シート２０が接続される。鉄シート２０は薄くて平らなシール状に形成されてもよい。図１においては１個の鉄シート２０が円形に形成され、響板７の外側表面に接続されている。
【００２８】
振動供給装置１０は、トランスデューサー５０、磁石３０、アンプ６０、充電池６５、ストレージ７０、信号生成部８０、及び操作部９０を有する。図４や図５に示したとおり、トランスデューサー５０、磁石３０、アンプ６０、充電池６５、ストレージ７０、信号生成部８０、及び操作部９０は、１つの筐体に収められていてもよい。トランスデューサー５０の詳しい構成については前述したとおりである。
【００２９】
ストレージ７０は、楽曲データを含む各種データを記憶する。信号生成部８０は、ストレージ７０から楽曲データを読み出して、楽曲データに基づいて駆動信号を生成してアンプへ供給する。操作部９０は信号生成部８０において読み出す楽曲データの選択などを制御するスイッチの役割を有する。アンプ６０は、外部電源によって充電される電池６５から電力の提供を受けて駆動し、信号生成部８０から提供された駆動信号を増幅してトランスデューサー５０へ提供し、振動部５１を振動させる。
【００３０】
磁石３０は、トランスデューサー５０の外側であって、鉄シート２０に対応する位置に配置される。磁石３０は粘着剤等によってトランスデューサーの筐体へ接着されてもよい。図１に示したように、磁石３０は、トランスデューサー５０を囲む円筒状に設けられてもよい。
【００３１】
このとき、鉄シート２０と磁石３０とは磁力によって吸着され、固定される。それゆえ、図５に示したように、鉄シート２０が接続された楽器の響板７と、磁石３０が接続された振動供給装置１０とが吸着され、固定される。
【００３２】
このようにして、信号生成部８０から生成された駆動信号に基づく振動が振動部材５１１を通じて楽器の響板７へと伝達され、響板７を利用した音響の発生が可能となる。このような構成を実現するため、鉄シート２０と磁石３０とは、互いに対応する位置、すなわち、楽器の響板７と振動供給装置１０とを吸着し、固定することが可能な位置に配置される。
【００３３】
このような構成を有することで、本発明の第１実施形態においては、ねじやボルト等の追加的な取り付け機構をトランスデューサーや楽器に設けることなく、一般の（例えば、市販の）楽器の響板にトランスデューサーを取り付けることが可能となる。また、本発明の第１実施形態によれば、ネジやボルトで取り付ける過程を要さず、所望の位置に振動供給装置を近づけるのみで振動供給装置を楽器の響板へ固定することが可能になるため、ユーザが楽器をスピーカーとして使用する場面と、振動供給装置を外して楽器を演奏する場面とを容易かつ迅速に切り替えることができる。
【００３４】
図４に示した例では、振動部材５１１は、響板７に吸着される前の状態において、振動部材５１１の鉄シート２０と接する面と、磁石３０の鉄シート２０と接する面とが同一平面上に配置されているが、必ずしも同一平面上に配置されなくてもよい。例えば、振動部材５１１が磁石３０よりも突出するように配置されてもよい。このような配置の場合、前記のとおり、トランスデューサー５０の振動部材５１１は図３の矢印で示されるように上下方向に振動する性質を有するため、楽器の響板７と振動供給装置１０とが吸着されると、振動部材５１１において磁石３０より突出していた部分は振動部５１の内部に入り込み、響板７に押し当てられる。
【００３５】
このとき、響板７に吸着される前の状態において、突出の長さを調整することで、楽器の響板７とトランスデューサー５０の振動部材５１１との接触の加減を調整し、響板７と振動部材５１１との間の最適な接触を実現することが可能となる。なお、本願でいう接触とは、振動部材５１１から響板７への振動を伝達可能に接続させることを言い、間に鉄シートや磁石などを介して接続されることも含む。後述する実施例についても同様である。
【００３６】
＜第２実施形態＞
図６は、本発明の第２実施形態の構成を示した図である。本発明の第２実施形態は、本発明の第１実施形態において、鉄シート２０が響板７の裏側表面に備えられていることを除いては、上述した第１実施形態と同様である。第１実施形態と同様の構成についての記載は省略する。
【００３７】
図６に示したように、本発明の第２実施形態においては、鉄シート２０は響板７の裏側表面に設けられ、響板を挟んで磁石３０と磁力によって吸着される。鉄シート２０は、磁石３０に対応する位置に配置される。鉄シート２０は粘着剤等によって響板７の裏側表面に接続されてもよいが、粘着剤等を使用することなく、響板を挟んだ磁石３０との磁力によって吸着させることで響板７の裏側表面に固定してもよい。
【００３８】
このように、本発明の第２実施形態においては、鉄シート２０が響板７の裏側表面に備えられるので、楽器の外観を損なうことなく振動供給装置を楽器に取り付けることが可能となる。また、鉄シート２０と磁石３０とを響板７を挟んで磁力によって吸着させることができるので、楽器自体を加工したり、楽器に粘着剤等を接着することによる楽器への損傷を防ぎつつ楽器に振動供給装置１０を取り付けることができる。
【００３９】
＜第３実施形態＞
【００４０】
図７は、本発明の第３実施形態の構成を示した図である。本発明の第３実施形態は、本発明の第１実施形態において金属ケース３５が備えられていることを除いては、上述した第１実施形態と同様である。第１実施形態と同様の構成についての記載は省略する。
【００４１】
図７に示したとおり、本発明の第３実施形態においては、トランスデューサー５０の側部及び底部を囲む金属性ケース３５をさらに備える。この場合、磁石３０は、金属性ケース３５の外側に吸着させて配置することができる。本発明の第３実施形態においても、磁石３０は鉄シート２０に対応する位置に配置されて、磁力によって、鉄シート２０と吸着されるようにする。
【００４２】
金属性ケース３５は、トランスデューサー５０の側部及び底部の全部を囲むコップのような形状で形成されてもよいし、トランスデューサー５０の側部及び底部の一部分のみを囲む形状で形成されてもよい。
【００４３】
本発明の第３実施形態においては、トランスデューサー５０のうち響板７に接する部分である振動部材５１１は、響板７に吸着される前の状態において、金属ケース３５及び磁石３０より突出するように形成されていてもよい。トランスデューサー５０の振動部材５１１は、前述のとおり、図面の方向において上下に振動する性質を有するため、楽器の響板７と振動供給装置１０とが吸着されると、振動部材５１１において金属ケース３５及び磁石３０より突出していた部分は振動部５１の内部に入り込み、響板７に押し当てられる。
【００４４】
このような構成を有することで、本発明の第３実施形態においては、磁石３０を容易にトランスデューサー５０へ取り付けることができる。さらに、磁石３０の位置決めが容易となるので、振動部材５１１の突出の長さの調整し、楽器の響板７とトランスデューサー５０の振動部材５１１との接触の加減を調整し、響板７と振動部材５１１との間の最適な接触を実現することがより容易となる。
【００４５】
＜第４実施形態＞
図８は、本発明の第４実施形態の構成を示した図である。本発明の第４実施形態は、楽器を配置するスタンドをさらに有することを除いては、上述した第１実施形態と同様である。第１実施形態と同様の構成についての記載は省略する。なお振動供給装置１０は楽器１の響板７の外側表面に取り付けられたまま、スタンドからの取り外しが可能である。
【００４６】
本発明の第４実施形態の楽器に備えられるスタンド６００は、振動供給装置１０に外部電源６１０を入力する電源供給部６３０を有し、振動供給装置１０は、スタンド６００の電源供給部６３０から外部電源６１０の入力を受ける電源受容部６４０を有する。振動供給装置１０に充電池を備えて、スタンドの電源供給部６３０を通じて外部電源６１０を充電池に入力することで、充電池を充電させてもよい。
【００４７】
このような構成を有することにより、楽器１を立て掛けている間に楽器に取り付けられた振動供給装置１０の充電池を充電させておけるので、振動供給装置１０を取り付けた状態の楽器１を、スタンド６００から取り外した状態で、スピーカーとして使用することも可能となる。
【００４８】
また、本発明の第４実施形態の楽器に備えられるスタンド６００は、データサーバ６２０からのデータを振動供給装置１０のストレージ９０に供給するための、データ供給部６５０を有し、振動供給装置１０は、スタンド６００のデータ供給部６５０からデータの入力を受けるデータ受信部６６０を有する。
【００４９】
データサーバ６２０には、楽器に供給する駆動信号の基となる複数の楽曲データを保存・管理しておいてもよい。このような構成を有することにより、データサーバ６２０に保存しておいた大量の楽曲データを振動供給装置１０へ供給することができるので、より多くの楽曲を楽器１の響板７を利用して再現することができる。
【００５０】
＜第５実施形態＞
図９は、本発明の第５実施形態の構成を示した図である。本発明の第５実施形態は、ストレージの代わりに通信部を設けることを除いては、上述した実施形態と同様である。上述した実施形態と同様の構成についての記載は省略する。
【００５１】
本発明の第５実施形態の振動供給装置１０においては、ストレージ７０の代わりに通信部７５が設けられる。通信部７５は、楽曲データを含む各種データが保管記憶された外部機器から電気通信回線等を通じて各種データの提供を受けるように構成されてもよい。通信部７５は、例えば、Ｂｌｕｅｔｏｏｔｈ（登録商標）であってもよい。外部機器は、例えば、音楽プレーヤーであってもよいし、スマートフォンやタブレット等の端末であってもよい。
【００５２】
本発明の第５実施形態の振動供給装置１０において、信号生成部８０は、通信部７５から楽曲データを読み出して、楽曲データに基づいて駆動信号を生成してアンプへ供給する。操作部９０は信号生成部８０において読み出す楽曲データの選択などを制御するスイッチの役割を有する。アンプ６０は、外部電源によって充電される電池６５から電力の提供を受けて駆動し、信号生成部８０から提供された駆動信号を増幅してトランスデューサー５０へ提供し、振動部５１を振動させる。
【００５３】
このような構成を有することによって、本発明の第５実施形態の振動供給装置１０においては、楽曲データを保管記憶しておくストレージを設ける必要がなくなり、外部機器を操作することによって容易に振動供給装置に楽曲データを提供することができる。
【００５４】
＜第６実施形態＞
図１０は、本発明の第６実施形態の構成を示した図である。本発明の第６実施形態は、振動供給装置１０のトランスデューサーとしてバイブレータ型のトランスデューサーを用いることを除いては、上述した実施形態と同様である。上述した実施形態と同様の構成についての記載は省略する。
【００５５】
図１０に示したように、本発明の第６実施形態のトランスデューサー５０ｂは、ボイスコイル型のトランスデューサーではなく、バイブレータ型のトランスデューサーである。ここでいうバイブレータ型のトランスデューサーとは、携帯電話のバイブレーション機能のように、本体内部で振動部材を振動させることで本体全体を振動させるものをいう。
【００５６】
本発明の第６実施形態においても上述したように振動供給装置１０を楽器へ取り付けてもよいし、図１０に示したように、トランスデューサー５０ｂの、響板７に接触する面にシート状の磁石３０ｂを接続し、響板７の外側表面に鉄シート２０を接続することで、鉄シート２０と磁石３０ｂとが磁力によって吸着され、固定されるようにし、鉄シート２０が接続された楽器の響板７と、磁石３０ｂが接続された振動供給装置１０とが吸着され、固定されるようにしてもよい。
【００５７】
＜鉄シート２０及び磁石３０の変形例＞
本発明の他の実施形態において、鉄シート２０は、他の軟磁性材料であってもよい。鉄を含む軟磁性材料は、トランスデューサー５０に接続された磁石３０と磁力によって吸着される形状であればどのような形状であってもよく、円形状以外に、例えば多角形状であってもよいし、図１１ａに示したように円形の真ん中部分をくり抜いたドーナッツ形状であってもよい。図１１ｂは、図１１ａを点線ｉで切って響板７側から振動供給装置１０側を見た図である。図１１に示したように鉄を含む軟磁性材料を円形の真ん中部分をくり抜いたドーナッツ形状にすることで、響板とトランスデューサー５０との間に鉄を含む軟磁性材料を設けることによる音質の低下を防止することができる。また、鉄を含む軟磁性材料の個数は１個でなくてもよく、２個以上設けてもよい。鉄を含む軟磁性材料を配置する位置は、磁石３０と磁力によって吸着される位置であればどのように配置してもよい。
【００５８】
また、本発明の他の実施形態において、磁石３０は、他の硬磁性材料であってもよい。磁石を含む硬磁性材料は、響板７に接続された鉄シート２０と磁力によって吸着される形状であればどのような形状であってもよく、トランスデューサー５０を囲む円筒状以外に、例えば四角柱の形状であってもよい。また、磁石を含む硬磁性材料の個数は１個でなくてもよく、２個以上設けてもよい。磁石を含む硬磁性材料を配置する位置は、鉄を含む軟磁性材料と磁力によって吸着される位置であればどのように配置してもよい。
【００５９】
さらに、本発明の他の実施形態においては、楽器の響板７に磁石を含む硬磁性材料を接続し、振動供給装置１０に鉄を含む軟磁性材料を備えてもよい。この場合も上記した実施形態と同様に、磁石を含む硬磁性材料及び鉄を含む軟磁性材料は、粘着剤等によってそれぞれ楽器の響板７及びトランスデューサー５０に接続されてもよいし、響板を挟んで互いに吸着され固定されてもよい。このとき、トランスデューサー５０の筐体５２４を鉄を含む軟磁性材料として用いてもよく、そのような構成にする場合、トランスデューサー５０に鉄を含む軟磁性材料を接続する工程を省略または簡略化することができる。
【００６０】
また、楽器の響板７、及び、振動供給装置１０の双方に磁石を含む硬磁性材料を備えてもよい。この場合も上記した実施形態と同様に、磁石を含む硬磁性材料は、粘着剤等によってそれぞれ楽器の響板７及びトランスデューサー５０に接続されてもよいし、響板を挟んで互いに吸着され固定されてもよい。また、振動供給装置１０においては、トランスデューサー５０の外側に金属ケースを配置して、金属ケースに吸着させて固定させてもよい。
【００６１】
このように、楽器の響板７側、及び振動供給装置１０側のうち少なくとも一方を磁石にすることによって、振動供給装置１０と楽器の響板７とを磁力によって吸着させ、固定させることができる。
【００６２】
＜充電池６５の変形例＞
本発明の他の実施形態において、アンプ６０は、外部電源によって充電される内部の充電池の他に、乾電池等によって電力の提供を受けて駆動させてもよい。また、振動供給装置１０において、充電池や乾電池を着脱可能なように配置する機構をさらに設けてもよい。
【００６３】
＜楽器１の変形例＞
上述した実施形態では、楽器がアコースティックギターである場合を示したが、本発明はこれに限られず、ベース、バイオリン、ウクレレ、マンドリン、ピアノ等弦の振動が伝達される響板を有する弦楽器であれば適用することが可能である。なお、本発明は、弦楽器に限らず、カホン等響板を有する打楽器にも適用することが可能である。
【符号の説明】
【００６４】
１…楽器、７…響板、１０…振動供給装置、２０…鉄シート、３０、３０ｂ…磁石、３５…金属性ケース、５０、５０ｂ…トランスデューサー、５１…振動部、５２…ヨーク保持部、６０…アンプ、６５…充電池、７０…ストレージ、７５…通信部、８０…信号生成部、９０…操作部、５１１…振動部材、５１２…ボイスコイル、５２２…磁石、５２１、５２３…ヨーク、５２４…筐体、６００…スタンド、 ６１０…外部電源、 ６２０…データサーバ、６３０…電源供給部、６４０…電源受容部、６５０…データ供給部、６６０…データ受信部
【図１】
2016180959.tif 000003
【図２】
2016180959.tif 000004
【図３】
2016180959.tif 000005
【図４】
2016180959.tif 000006
【図５】
2016180959.tif 000007
【図６】
2016180959.tif 000008
【図７】
2016180959.tif 000009
【図８】
2016180959.tif 000010
【図９】
2016180959.tif 000011
【図１０】
2016180959.tif 000012
【図１１】
2016180959.tif 000013